(57)【要約】【課題】ディジタル放送の受信に関連する情報を必要に応じて選択し、選択された情報を表示用に編集し、必要な情報の内容を、迅速かつ容易に把握できるようにする。【解決手段】チューナ／復調部１２は、アンテナ１１からディジタル放送を受信すると、ＣＰＵ１６からの選局指示に基づいて特定のチャンネルについて受信データを復調し、階層毎のプログラムに対応したＴＳを生成する。ＣＰＵ１６は、保守員等の指示に応答して、例えば、ＤＥＭＵＸ１３からディジタル放送の受信に関連する情報（放送関連情報）を取得する。放送関連情報は、その項目によっては、メモリや他の部分からも取得される。ＣＰＵ１６は、放送関連情報を表示するため、ＭＰＥＧデコーダ１４およびビデオプロセッサ１５を制御して、その情報のみの画面、または受信している放送と重ねた画面を表示用のデータとして編集する。【選択図】  図１
2004336189.tif 000002
【特許請求の範囲】
【請求項１】
ディジタル放送を受信する受信手段と、
前記ディジタル放送の受信によって得られ、または前記ディジタル放送の受信に関連して設定される放送関連情報を取得する取得手段と、
前記取得された放送関連情報の少なくとも一部の項目を所定の基準によって選択する選択手段と、
前記選択された放送関連情報の項目を表示用に編集する編集手段とを有することを特徴とするディジタル放送受信装置。
【請求項２】
請求項１に記載のディジタル放送受信装置において、
前記放送関連情報が、少なくとも前記ディジタル放送に含まれる情報、前記ディジタル放送の受信実績に関する情報、および前記ディジタル放送の受信環境設定に関する情報のいずれかを含むことを特徴とするディジタル放送受信装置。
【請求項３】
請求項１に記載のディジタル放送受信装置において、
前記選択手段が、前記放送関連情報の各項目の重要度に応じて選択を行うことを特徴とするディジタル放送受信装置。
【請求項４】
請求項１に記載のディジタル放送受信装置において、
所定の入力を受け付ける入力手段を更に有し、
前記編集手段は、前記入力手段が所定の入力を受け付けた場合に、前記放送関連情報の表示を行う編集をするように制御され、前記入力手段が別の所定の入力を受け付けた場合に、前記別の所定の入力に応じて前記放送関連情報の表示が、その情報のみで構成される画像として編集されるか、前記受信したディジタル放送の画像に重ねて編集されるかが制御されることを特徴とするディジタル放送受信装置。
【請求項５】
ディジタル放送を受信するステップと、
前記ディジタル放送の受信によって得られ、または前記ディジタル放送の受信に関連して設定される放送関連情報を取得するステップと、
前記取得された放送関連情報の少なくとも一部の項目を所定の基準によって選択するステップと、
前記選択された放送関連情報の項目を表示用に編集するステップとを有することを特徴とする信号処理方法。
【請求項６】
請求項５に記載の信号処理方法において、
前記放送関連情報が、少なくとも前記ディジタル放送に含まれる情報、前記ディジタル放送の受信実績に関する情報、および前記ディジタル放送の受信環境設定に関する情報のいずれかを含むことを特徴とする信号処理方法。
【請求項７】
請求項５に記載の信号処理方法において、
前記選択ステップが、前記放送関連情報の各項目の重要度に応じて選択を行うことを特徴とする信号処理方法。
【請求項８】
請求項５に記載の信号処理方法において、
所定の入力を受け付けるステップを更に有し、
前記編集ステップは、前記入力ステップにおいて所定の入力を受け付けた場合に、前記放送関連情報の表示を行う編集をするように制御され、前記入力ステップにおいて別の所定の入力を受け付けた場合に、前記別の所定の入力に応じて前記放送関連情報の表示が、その情報のみで構成される画像として編集されるか、前記受信したディジタル放送の画像に重ねて編集されるかが制御されることを特徴とする信号処理方法。
【発明の詳細な説明】
【０００１】
【発明の属する技術分野】
この発明は、ディジタル放送受信装置および信号処理方法に関し、特に、ディジタル放送の受信に係わる各種情報を表示用に編集するディジタル放送受信装置および信号処理方法に関する。
【０００２】
【従来の技術】
現在市販されているアナログテレビジョン放送受信装置においては、テレビジョン放送を受信し、当該受信された放送のプログラムを表示する通常モードと、アナログテレビジョン受信装置に関する各種設定パラメータを表示するサービスモードがある。上記サービスモードは、修理やメンテナンスの際に利用されるものである。
【０００３】
また、ＣＳ（Ｃｏｍｍｕｎｉｃａｔｉｏｎ  Ｓａｔｅｌｌｉｔｅ）ディジタル放送、およびＢＳ（Ｂｒｏａｄｃａｓｔｉｎｇ  Ｓａｔｅｌｌｉｔｅ）ディジタル放送などの衛星ディジタル放送を受信する衛星ディジタルテレビジョン放送受信装置も、上記と同様の各種設定パラメータを表示させるサービスモードを有しており、上記設定パラメータが、当該受信装置の故障や不良について調査をする際に有効に利用される。この設定パラメータは、上記アナログテレビジョン放送受信装置のパラメータと同様のものである。
【０００４】
衛星ディジタルテレビジョン放送受信装置においては、更に、上記設定パラメータに加えて、受信Ｃ／Ｎ（Ｃａｒｒｉｅｒ  ｔｏ  Ｎｏｉｓｅ  Ｒａｔｉｏ）等の受信パラメータやネットワークに関するパラメータについても一部表示が可能となっている。
【０００５】
また、以下の特許文献１には、各種制御データ等を表示するサービスモードを有した衛星ディジタルテレビジョン放送受信機が開示されている。
【０００６】
【特許文献１】
特開平６−２１７２２６号公報
【０００７】
【発明が解決しようとする課題】
しかしながら、２００３年からの運用が予定されている、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式による地上波ディジタル放送では、上述のアナログテレビジョン放送や衛星ディジタルテレビジョン放送に比べて、より多くの放送事業者が関与し、受信環境もはるかに複雑であるため、この地上波ディジタル放送を受信する受信装置では、より多くのパラメータが使用される。
【０００８】
また、地上波ディジタル放送システム自体が、スケーラビリティを考慮して非常に多くのパラメータを有する複雑なシステムとなっているため、地上波ディジタル放送受信装置も、この地上波ディジタル放送におけるデータ送受信に関して必然的に多くのパラメータを有することになる。
【０００９】
よって、地上波ディジタル放送受信装置において、故障や不良等の問題が生じると、これらの問題を調査、解析するために極めて多数のパラメータを確認しなければならず、調査、解析のための負担が大きく、更に故障等に対する迅速な対応ができないという問題点がある。
【００１０】
従って、この発明の目的は、地上波ディジタル放送受信装置が有する多数の情報を、必要に応じて選択し、所定の表示方式によって表示できるように編集を行う地上波ディジタル放送受信装置および信号処理方法を提供することにある。
【００１１】
【課題を解決するための手段】
この発明は、ディジタル放送を受信する受信手段と、ディジタル放送の受信によって得られ、またはディジタル放送の受信に関連して設定される放送関連情報を取得する取得手段と、取得された放送関連情報の少なくとも一部の項目を所定の基準によって選択する選択手段と、選択された放送関連情報の項目を表示用に編集する編集手段とを有するように構成したディジタル放送受信装置である。
【００１２】
この発明は、ディジタル放送を受信するステップと、ディジタル放送の受信によって得られ、またはディジタル放送の受信に関連して設定される放送関連情報を取得するステップと、取得された放送関連情報の少なくとも一部の項目を所定の基準によって選択するステップと、選択された放送関連情報の項目を表示用に編集するステップとを有するように構成した信号処理方法である。
【００１３】
この発明においては、ディジタル放送受信装置が有する多数の情報を、必要に応じて選択し、所定の表示方式によって表示できるように編集をすることができる。これにより、多数の情報の中から必要な項目のみを選択して表示させることができ、結果的に有効な情報を容易かつ迅速に把握することができる。
【００１４】
【発明の実施の形態】
以下、この発明の実施の形態について、図面を用いて説明する。本実施の形態における地上波ディジタル放送受信装置は、通常モードでは、通常の動作を行う。即ち、地上波ディジタル放送を受信して、ハイビジョン放送や標準画質放送のプログラムを表示装置に表示するために編集を行ったり、双方向データ通信を行ったりする。
【００１５】
また、地上波ディジタル放送受信装置は、故障や不良に対処する保守員等の所定の操作に応答してサービスモードに切り替えられる。サービスモードでは、地上波ディジタル放送受信装置が使用する各種パラメータが所定の選択基準によって選択され、選択されたパラメータ等の内容が所定の表示方式によって表示されるように編集される。
【００１６】
図１は、この発明に係る地上波ディジタル放送受信装置の実施の形態の一例を示すブロック図である。図１に示す地上波ディジタル放送受信装置１０は、アンテナ１１、チューナ／復調部１２、デマルチプレクサ（ＤＥＭＵＸ）１３、ＭＰＥＧデコーダ１４、ビデオプロセッサ１５、およびＣＰＵ（Ｃｅｎｔｒａｌ  Ｐｒｏｃｅｓｓｉｎｇ  Ｕｎｉｔ）１６を備える。地上波ディジタル放送受信装置１０は、更に、受信したプログラムやパラメータ等を表示するテレビジョンモニタ等の表示装置に接続されるが、当該表示装置と一体的に構成されてもよい。
【００１７】
ここで、アンテナ１１およびチューナ／復調部１２は、ディジタル放送を受信する受信手段に対応し、ＣＰＵ１６とＤＥＭＵＸ１３は、ディジタル放送に関連する情報を取得する取得手段として機能する。ただし、情報がディジタル放送の受信データから得られるものでない場合は、ＣＰＵ１６とメモリ等の組が上記取得手段を構成することになる。
【００１８】
ＣＰＵ１６はまた、所定の基準で上記情報から一部の項目を選択する選択手段として機能する。また、後述するように、ＭＰＥＧデコーダ１４、ビデオプロセッサ１５、およびＣＰＵ１６の組は、編集手段を構成する。
【００１９】
地上波ディジタル放送は、前述したとおり、ＩＳＤＢ−Ｔ方式によって行われることが予定されているので、ここでは、ＩＳＤＢ−Ｔ方式による地上波ディジタル放送の受信を前提に説明を行う。
【００２０】
具体的には、変調方式としてマルチキャリア（多重搬送波）の変調を行うＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）が採用され、１チャンネルに複数のプログラムを階層化するために、ＢＳＴ（Ｂａｎｄ  Ｓｅｇｍｅｎｔｅｄ  Ｔｒａｎｓｍｉｓｓｉｏｎ）と呼ばれる方式が使用される。
【００２１】
ＢＳＴでは、１つのチャンネル帯である６ＭＨｚ帯域（実効域は５．６ＭＨｚ）を１３のセグメントに分け、これらを２つまたは３つのグループに分類し、階層化して伝送する。これによって、１つのチャンネルの放送帯域で、例えば、１つのハイビジョン放送（ＨＤＴＶ（Ｈｉｇｈ  Ｄｅｆｉｎｉｔｉｏｎ  Ｔｅｌｅｖｉｓｉｏｎ））のプログラムとデータ放送、または２つの標準画質放送（ＳＤＴＶ（Ｓｔａｎｄａｒｄ  Ｄｅｆｉｎｉｔｉｏｎ  Ｔｅｌｅｖｉｓｉｏｎ））のプログラムとデータ放送といった様々な組み合わせの放送が可能となる。
【００２２】
アンテナ１１は、ＩＳＤＢ−ＴのＯＦＤＭ信号をＲＦ（Ｒａｄｉｏ  Ｆｒｅｑｕｅｎｃｙ）信号として受信し、チューナ／復調部１２に送信する。チューナ／復調部１２においては、まず、チューナが、アンテナ１１からＲＦ信号を受信し、ＣＰＵ１６からのチャンネル選局指示に応じて、対応するチャンネルの信号に関して、増幅、周波数変換、およびフィルタリング等の処理を行う。
【００２３】
一方、復調部は、チューナから受け取った信号に対して、ＦＦＴ（Ｆａｓｔ  Ｆｏｕｒｉｅｒ  Ｔｒａｎｓｆｏｒｍ）演算、キャリア復調、デインタリーブ処理、デマッピング処理、階層分割・合成処理、デパンクチャ処理、ビタビ復号やリードソロモン復号等を含む復調処理を行い、最終的に、選局されたチャンネル内の各階層のプログラムに対応したＴＳ（トランスポートストリーム）を出力する。
【００２４】
ＤＥＭＵＸ１３は、ＣＰＵ１６からのデータ取得指示を受信し、チューナ／復調部１２から受信したデータ列を階層やカテゴリー毎のビットデータ列に分類し、ＴＳの中のＳＩ（Ｓｅｒｖｉｃｅ  Ｉｎｆｏｒｍａｔｉｏｎ）情報（番組配列情報）を抽出する。ＳＩ情報は、各放送局がプログラムの画像データおよび音声データと共に送信する、個々のプログラムのタイトルや放送予定時刻などを含む情報である。
【００２５】
ここでは、上述したように、地上波ディジタル放送の受信データからＳＩ情報が抽出されるケースに関してのみ説明するが、サービスモードでは、これ以外の情報も表示されうる。例えば、地上波ディジタル放送の受信データから得られる情報としては、上記ＳＩ情報の他に、ネットワークに関するプロファイル等がある。また、地上波ディジタル放送の受信に際して得られる情報としては、受信Ｃ／Ｎ等の受信実績に関連する受信パラメータがある。更に、地上波ディジタル放送受信装置自身に関する情報として、伝送記述子等を含む現在の受信環境に関連する設定パラメータ、およびその他の当該装置に関する各種設定条件を含む設定プロファイル等がある。
【００２６】
この明細書中、サービスモードにおいて表示されうる上記情報を、総括的に「放送関連情報」と称することにする。
【００２７】
再び、図１の説明に戻ると、上記ＣＰＵ１６からのデータ取得指示は、例えば、地上波ディジタル放送受信装置に対して保守員等が所定の操作を行うことによって所定の情報（ここでは、ＳＩ情報）を表示するよう要求した場合に、その表示に必要な情報を抽出するようＤＥＭＵＸ１３に対して命令するものである。
【００２８】
また、上記保守員等の所定の操作とは、例えば、地上波ディジタル放送受信装置１０本体のボタンやリモートコントロールコマンダ（以下、リモコンと称する）のボタン等を押すことによってサービスモードとなり、更に別のボタンを押すことによって各種パラメータ等の情報を表示するモードとなる。保守員等は、例えば、このモードから更に、上記ボタン等を押して、表示情報を指定する画面を表示させることもできる。このような、地上波ディジタル放送受信装置１０本体のボタンやリモコンのボタン等の操作は、通常のユーザが使用できないようにして完全に保守用としておくことも可能である。
【００２９】
ＣＰＵ１６は、ＤＥＭＵＸ１３によって抽出されたＳＩ情報を受け取ると、保守員等の指示に基づいて、表示すべき情報を決定し、当該情報を表示するためにＭＰＥＧデコーダ１４とビデオプロセッサ１５を制御する。
【００３０】
当該情報は、これを表示するための専用ＧＵＩ画面を使って、テレビジョンモニタ等の表示装置に表示される。また、当該情報が、受信しているプログラムを表示（放送）したまま、その画像に重ねて（いわゆる、スーパーインポーズ画面の形態で）表示装置に表示されるように制御してもよい。
【００３１】
上記スーパーインポーズ画面のような形態で情報が表示される場合には、受信したプログラムの映像が表示装置に表示され続ける。その場合には、ＤＥＭＵＸ１３によって、表示対象のプログラムのデータもＭＰＥＧデコーダ１４に送信され、そこでＭＰＥＧデータに変換された後、ＣＰＵ１６の制御の下、ビデオプロセッサ１５によって処理され、表示装置に映像として出力される。
【００３２】
もちろん、音声についてもＴＳ内のデータをもとに所定のデコードがされ、音声出力装置に出力されるが、ここでは説明を省略する。
【００３３】
また、この例のように、ＳＩ情報を表示させる場合は、要求があった際にＤＥＭＵＸ１３からデータを取得するが、表示対象によっては地上波ディジタル放送受信装置１０内のメモリや他の構成要素からデータを取得する場合もある。例えば、地上波ディジタル放送受信装置１０の設定パラメータや設定プロファイルを表示する場合は、当該パラメータやプロファイルを記憶してあるメモリの所定のエリアから対応するデータが読み出される。また、ネットワークに関するプロファイルに関しては、後で図４に関連して詳細に説明するように、最初にチャンネル毎の関連情報がメモリに記憶され、表示の指示があった場合に、そのメモリから関連情報が読み出される。
【００３４】
図２には、ネットワークに関するプロファイルの表示例が示されている。このプロファイルの表示は、図１に関連して説明した上記処理と同様の処理によって実現される。尚、この例では、専用のＧＵＩ画面によって当該プロファイルが表示されているものとする。
【００３５】
図２の表示例では、チャンネル、ロゴ、リモコン・キー識別、地域識別、サービス種別、地域事業者識別、およびサービス識別の各項目が、チャンネル毎に各行に表示されている。チャンネルは、３桁の番号からなり、受信チャンネルを示すものである。また、チャンネルやロゴについては、何らかの経路でユーザが認識しうる情報であり、その他は、基本的には、ユーザが見ることのできない情報である。
【００３６】
図２に示した項目より多くの項目を表示することもでき、更に、必要な所定の範囲の全項目（例えば、ネットワークに関するプロファイルの全項目）を表示することもできる。多くの項目を表示する場合、または多くのチャンネルについてそれぞれの項目を表示する場合は、当該項目の表示が表示装置のサイズを超える場合がある。そのような場合には、縦方向、および横方向のスクロール機能や、ページ送り機能を提供することもできる。また、これらの機能は、項目を表示させる場合と同様に、地上波ディジタル放送受信装置１０本体のボタンやリモコンのボタン等を使用して指示することができる。これによって、確認が必要な情報を迅速かつ容易に確認することができる。
【００３７】
また、上記では、図２のような、単に一部の項目が表示される例について説明したが、保守員等によって、地上波ディジタル放送受信装置１０本体のボタンやリモコンのボタン等を使用して個別に選択された項目のみが表示されるようにしてもよい。
【００３８】
また更に、表示する項目を、その項目の重要度によって、あるいは保守員等によって指定された観点によって自動的に選択するようにしてもよい。重要度の高い項目としては、例えば、故障や不良の原因を特定するために非常に役立つ項目や、故障や発生の頻度が高い部分に関連する項目を設定することが考えられる。
【００３９】
図３には、図２と同様のネットワークに関するプロファイルの別の表示例が示されている。ここでは、図２と同様に、専用ＧＵＩ画面によって当該プロファイルが表示されているものとする。図３の表示例では、チャンネル、地域識別、サービス識別、リモコン・キー識別、およびロゴの各項目が、チャンネル毎に各行に表示されている。チャンネルは、３桁の番号からなり、受信チャンネルを示すものである。
【００４０】
図３の表示例は、図２の表示例に比べてサービス種別、および地域事業者識別の項目がなく、より簡易的な表示となっている。保守員等は、このように、必要に応じて簡易的に項目を表示することによって、重要な項目の内容を迅速かつ容易に確認することができ、早急な問題の対処が期待できる。
【００４１】
次に、図４のフローチャートを参照して、放送関連情報の取得処理および編集処理の概略を説明する。この例では、地上波ディジタル放送の受信データから得られる情報の取得および表示に関する処理であって、特に、ネットワークに関するプロファイルを表示する場合について説明する。
【００４２】
まず、ステップＳ１１において、この発明の地上波ディジタル放送受信装置１０の通常モードにおいて、全チャンネルのスキャン動作が開始される。当該処理によって、受信装置１０が設置された地域受信環境で適した全てのチャンネルが判定されプリセットされる。また、この際に、送信側のＥＰＧ（Ｅｌｅｃｔｒｏｎｉｃ  Ｐｒｏｇｒａｍ  Ｇｕｉｄｅ）情報、チャンネル内の階層情報、およびＮｅｔｗｏｒｋ＿ＩＤ等の各チャンネル局に付随する情報が得られる。
【００４３】
その後、ステップＳ１２において、上記各チャンネルの情報、および各チャンネル局に付随する情報が、受信装置１０内のメモリにテーブルの形で記憶される。また、ステップＳ１３において、サービス識別をＤＥＭＵＸ１３から受信し、上記記憶された各チャンネル毎に上記メモリに記憶する。尚、ステップＳ１１からステップＳ１３までは、通常モードにおける動作である。
【００４４】
保守員等から受信装置１０のボタンやリモコンの押下によりサービスモードが選択されると、ＣＰＵ１６は、ステップＳ１４で、受信装置１０のボタン操作を検知するキー・インタフェースやリモコン信号受信部等からサービスモードの要求信号を受信する。ここでは、説明を簡単にするため省略してあるが、当該ステップの前に、保守員等からの要求があるまで所定の期間ウエイトするループ処理が行われている。
【００４５】
ＣＰＵ１６は、上記サービスモードの要求信号を受信すると、ステップＳ１５で、メモリ上のテーブルに記憶してある情報の中から要求された範囲の情報（例えば、ネットワークに関するプロファイル）を抽出して、それをキャラクターの形に編集し、その後バックエンドと呼ばれるＭＰＥＧデコーダ１４およびビデオプロセッサ１５を制御して、上記抽出された情報を表示する画像を編集する。こうして編集された画像は、テレビジョンモニタ等の表示装置に送信され、その表示装置に、抽出された情報が表示される。
【００４６】
この発明は、地上波ディジタル放送受信装置の扱うパラメータ等が極めて多いために、当該受信装置に適用した場合に大きな効果が得られるが、上記説明した構成および機能を、地上波ディジタル放送を受信する場合以外にも適用することができる。例えば、衛星ディジタル放送受信装置において、放送関連情報の一部を選択して表示させるサービスモードを設けることもできる。
【００４７】
【発明の効果】
この発明によれば、ディジタル放送受信装置において、ディジタル放送に係わる多数の情報を、必要に応じて選択し、所定の表示方式によって表示することができる。これにより、多数の情報の中から必要な項目のみを選択して表示させることができ、結果的に有効な情報を迅速かつ容易に把握することができる。更に、上記のような、迅速な情報の把握により、故障等の問題を早期に解決することが期待できる。
【図面の簡単な説明】
【図１】この発明の実施の形態に係る地上波ディジタル放送受信装置の一例を示すブロック図である。
【図２】この発明の実施の形態に係る地上波ディジタル放送受信装置による、放送関連情報の表示例を示す略線図である。
【図３】この発明の実施の形態に係る地上波ディジタル放送受信装置による、放送関連情報の別の表示例を示す略線図である。
【図４】この発明の実施の形態に係る地上波ディジタル放送受信装置による放送関連情報の取得処理および表示処理を例示するフローチャートである。
【符号の説明】
１０・・・地上波ディジタル放送受信装置、１１・・・アンテナ、１２・・・チューナ／復調部１２、１３・・・ＤＥＭＵＸ、１４・・・ＭＰＥＧデコーダ、１５・・・ビデオプロセッサ、１６・・・ＣＰＵ
【図１】
2004336189.tif 000003
【図２】
2004336189.tif 000004
【図３】
2004336189.tif 000005
【図４】
2004336189.tif 000006